(57)【要約】  カートリッジと隣接するハンドルとを有するかみそりを保護するように格納するのに好適な、新規なかみそりパッケージ（１０）が開示される。パッケージは、上部と下部とを備える少なくとも１つの容器（１２ａ、１２ｂ）を含む。上部はカートリッジ受け凹部（２６ａ）を含み、下部はハンドル受け凹部（２７ａ）を含む。カバーシート（１４ａ、１４ｂ）は容器の上部周辺部を覆い、かつ、開けるためにユーザーがこのシートをピールバックしてかみそりにアクセスできるように容器に封止される。２つ以上の容器をかみそりパッケージの中に備える場合、カバーシートは容器の間に、容易な剥離を可能にするシート分離可能性ライン（１３ａ）を有することができる。更に、これらの容器（１２ａ、１２ｂ）は、容器分離可能性ライン（１３ｂ）を介して一体に固定されることができ、ユーザーはパッケージから１つの容器を一度に引き離すこともできる。容器及び分離可能ライン（１３ａ、１３ｂ）は位置合わせされてもよく、かつ、同時に形成されても又はされなくてもよい。
2011525462.tif 000002
【特許請求の範囲】
【請求項１】
カートリッジとハンドルとを有するかみそりを保護するように格納することが可能な格納領域を含む第１の容器と、
前記第１の容器の前記格納領域の上部周辺部に着脱自在に取り付けられる少なくとも１つのカバーシートと、を含むかみそりパッケージ。
【請求項２】
前記パッケージが、第２の容器に固定される前記第１の容器を更に含む、請求項１に記載のパッケージ。
【請求項３】
前記パッケージが、前記第１の容器に着脱自在に取り付けられる第１のカバーシートと、前記第２の容器の容器に着脱自在に取り付けられる第２のカバーシートとを含む、請求項２に記載のパッケージ。
【請求項４】
前記カバーシートがカバーシート分離可能ライン領域を含む、請求項２に記載のパッケージ。
【請求項５】
前記カバーシートがプラスチックを含み、透明、不透明、色付き又はこれらの任意の組み合わせのものである、請求項１に記載のパッケージ。
【請求項６】
前記少なくとも１つのカバーシートが、前記第１の容器の前記格納領域の前記上部周辺部の上に接着により封止され、前記カバーシートが可撓性であり、かつ、ユーザーによって剥離されることが可能である、請求項１に記載のパッケージ。
【請求項７】
前記容器及び前記カバーシートは、周囲の物質が前記パッケージに入るのを防止する、請求項１に記載のパッケージ。
【請求項８】
前記カバーシートが、前記第１の容器の一方の末端部又は外側隅部に位置するタブを更に含む、請求項１に記載のパッケージ。
【請求項９】
前記カバーシートが、前記第１の容器又は前記第２の容器と一体になって再密閉可能である、請求項１又は３に記載のパッケージ。
【請求項１０】
前記第１の容器が前記第２の容器から取り外し可能である、請求項２に記載のパッケージ。
【請求項１１】
前記第１及び第２の容器が、容器分離可能ライン領域において着脱自在に固定され、該容器分離可能ライン領域が機械的相互連結部である、請求項１４に記載のパッケージ。
【請求項１２】
前記第１の容器及び第２の容器が、透明、不透明、色付き、又はこれらの任意の組み合わせのプラスチック材料を含む、請求項１又は２に記載のパッケージ。
【請求項１３】
前記パッケージが、前記第１の容器又は前記第２の容器に固定される１つ以上の容器を更に含む、請求項２に記載のパッケージ。
【請求項１４】
前記格納領域が、スロットガイドを含むカートリッジ受け凹部を有する上部と、ハンドルガイドを含むハンドル受け凹部を有する下部とを更に含む、請求項１に記載のパッケージ。
【請求項１５】
かみそりパッケージの製造方法であって、
ポリプロピレン材料から少なくとも１つの容器を成形する工程と、
カートリッジと隣接するハンドルとを有するかみそりを、前記少なくとも１つの容器の格納領域内に設置する工程と、
前記少なくとも１つの容器の上部周辺部をプラスチックカバーシートで封止する工程と、を含む方法。
【発明の詳細な説明】
【技術分野】
【０００１】
本発明は、それぞれがカートリッジと隣接するハンドルとを有するかみそり（１つ又は複数）の格納に好適なかみそりパッケージに関する。
【背景技術】
【０００２】
使い捨てでないかみそりなどの一部のかみそり又はかみそりシステムは、一般に離脱可能なハンドルとカートリッジとを有し、典型的には、プラスチックパッケージ、容器、又はケースに入れられて、多くの場合個別に販売され、一部のパッケージは追加カートリッジ用のスペースを含んでいる。広くは、プラスチックパッケージそのものは嵩高であり、消費者が開封するのが困難な場合が多い。この難点は消費者の日常生活がモバイル化するにつれて高まっており、その結果、消費者が通常使用する商品のパーケージは、内部のかみそりを保護するために丈夫であることが必要となるが、同時に、改善された使いやすさ、運搬及び／又は将来使用するために起こり得る格納に合わせて作る必要がある。
【０００３】
多くの場合、使い捨てかみそり（例えば、ハンドルが、カートリッジから簡単に取り外し可能でない、又はカートリッジに永久的に取り付けられたかみそり）は、消費者に提示する目的で、裏に一枚の厚紙を有する熱成形されたパッケージの中に包装される。典型的には、このパッケージは、薄い熱成形されたポリエチレン（ＰＥＴ）材料で形成され、通常は複数の使い捨てかみそりが同じパッケージ内に収容されることができる。例えば、一部のプラスチックパッケージは、１つのパッケージの中に並べられた３つの使い捨てかみそりを有する。
【０００４】
使い捨てかみそりのこの包装は、カートリッジとハンドルとを含むかみそり全体がはっきりと透明に見え、かつ、かみそりとその構成部分を保護することが可能である一方、かなり費用効率も高いという点で有利であるが、この「使い捨て」パッケージ及び包装方法の利点は、「使い捨てでない」又はその他のかみそりに容易に移行させて、これらかみそりの機械的態様及び環境的態様の両方にとって不可欠な継続的な保護を提供することはできない。
【０００５】
シェービングカートリッジ用に個々に密封された容器は、従来技術、例えば、米国特許第６，４９９，５９５号及び同第６，８８６，６９０号において既知である。これら追加カートリッジは、典型的には、薄いＰＥＴ包装を用いてかみそりと共にパッケージ化されて販売される。
【先行技術文献】
【特許文献】
【０００６】
【特許文献１】米国特許第６，４９９，５９５号
【特許文献２】米国特許第６，８８６，６９０号
【発明の概要】
【発明が解決しようとする課題】
【０００７】
消費者が購買時点で商品を見ることができるのと同時に、ハンドル及びカートリッジに機械的保護と環境的保護とを同時に提供できる、独自のかみそり用パッケージ及び包装方法を提供する必要性が存在する。
【０００８】
かかるパッケージはまた、できるだけコンパクトでありかつ開封しやすいことが必要である。
【０００９】
ユーザーが２つ以上のかみそりを一度に購入することができるが、ユーザーは、将来使うために他のかみそりをそのままに維持した状態で個々のかみそりのみを開封しかつ使用することができ、同時に、かみそりにアクセスする際にかみそり刃の刃先と意図せず接触しないように保護することができる様式で、２つ以上のかみそりをこのようなパッケージの中に格納するという更なる願望が存在し得る。
【課題を解決するための手段】
【００１０】
本発明によると、新規なかみそりパッケージは、カートリッジと隣接するハンドルとを有するかみそりを保護するように格納することが可能な格納領域を有する第１の容器と、第１の容器の格納領域の上部周辺部に着脱自在に取り付けられる少なくとも１つのカバーシートと、を含む。
【００１１】
新規なパッケージは、第２の容器に固定される第１の容器を含むことができ、カバーシートは第１及び第２の容器を覆うことができる。パッケージは、第１の容器に着脱自在に取り付けられる第１のカバーシートと、第２の容器に着脱自在に取り付けられる第２のカバーシートとを含むことができる。カバーシートは、穿孔又は連続スリットを備えることができるカバーシート分離可能ライン領域を有することができ、第１の容器の格納領域の上部周辺部の上に接着により封止されるプラスチックで作製されることができる。このようにして、カバーシートはユーザーによって剥離されることが可能である。カバーシートは、穿孔又はスリットにおいて剥離されてもよい。カバーシートは、透明、不透明、色付き又はこれらの任意の組み合わせのものであり得る。カバーシートは、容器の一方の末端部又は外側隅部にタブを有することができ、容器と一体になって再密閉可能であることができる。
【００１２】
本発明の一実施形態において、第１の容器は第２の容器から取り外し可能である。第１及び第２の容器は、機械的に相互連結され得る容器分離可能ライン領域において着脱自在に固定されてもよい。別の実施形態において、第１の容器は第２の容器から取り外し可能でない。
【００１３】
新規な容器はポリプロピレン材料で作製されてもよく、透明、不透明、色付き又はこれらの任意の組み合わせのものであってもよい。格納領域は、スロットガイドを有するカートリッジ受け凹部を有する上部と、ハンドルガイドを有するハンドル受け凹部を有する下部とを含むことができる。
【００１４】
別の実施形態において、かみそりパッケージは、第１の容器又は第２の容器に固定される１つ以上の容器を含んでもよい。本発明の新規な態様において、カバーシートは、周囲の物質がかみそりを有する容器に入るのを防止する。カバーシートは一般に可撓性である。
【００１５】
カートリッジは、旋回機構及び／又は石鹸を含んでもよい。ハンドルは、カートリッジから容易に取り外し可能であってもよく、又は取り外し可能でなくてもよい。
【００１６】
本発明の別の態様において、かみそりパッケージの製造方法は、ポリプロピレン材料から少なくとも１つの容器を成形する工程と、カートリッジと隣接するハンドルとを有するかみそりを、少なくとも１つの容器の格納領域内に設置する工程と、少なくとも１つの容器の上部周辺部をプラスチックカバーシートで封止する工程と、を含む。
【００１７】
他に定義されない限り、本明細書において使用される全ての技術的用語及び科学的用語は、本発明の属する分野の当業者に慣例的に理解されるものと同じ意味を有する。本明細書に記載されているのと同様又は同等の方法及び材料を本発明の実施又は試験のために使用することが可能であるが、好適な方法及び材料を以下に記載する。本明細書で言及される全ての刊行物、特許出願、特許、及び参照文献は、参照することによりその全体を本明細書に組み込む。刊行物の内容が本明細書の内容と相容れない事態が生じる場合には、定義を含む本明細書が優先する。更に、前記材料、方法、及び実施例は一例にすぎず、制限することを意図していない。
【００１８】
本発明の他の特徴及び利点は、以下の詳細な説明から、また特許請求の範囲から明らかとなろう。
【図面の簡単な説明】
【００１９】
本明細書は、本発明を形成すると思われる主題を特定して指摘し明確に請求する請求項にて結論とするが、本発明は、添付図と関連づけて行う次の説明によってよりよく理解されると考えられ、添付図中では同様の表記は実質的に同一の要素を示すのに使用する。
【図１Ａ】第１の容器が部分的に開封された状態で内部のカミソリを見せており、第２の容器は密封又は閉鎖位置にある、本発明の二重かみそりパッケージの斜視図。
【図１Ｂ】本発明の実施形態より、第１の容器が第２の容器から分離されている又は取り外されていることを示している図１Ａの斜視図。
【図１Ｃ】本発明の別の実施形態により、容器の間で離脱が可能でないことを示している図１Ａの斜視図。
【図１Ｄ】本発明の別の実施形態による単一かみそりパッケージの斜視図。
【図２】図１Ａの二重かみそりパッケージの内部平面図。
【図３】図２のかみそりパッケージの側面図。
【図４】図２のかみそりパッケージの底面図。
【図５】本発明の別の実施形態による二重かみそりパッケージの斜視図。
【図６】本発明の更に別の代替実施形態による三重かみそりパッケージの斜視図。
【図７】本発明の更に別の代替実施形態による四重かみそりパッケージの斜視図。
【発明を実施するための形態】
【００２０】
本発明は、ハンドルとカートリッジとを有するかみそり用の新規なかみそりパッケージに関する。このパッケージは、プラスチック（例えば、ポリプロピレン）などの丈夫な材料で構成され、かつ、内部のかみそりにアクセスするために剥離されるカバーシールを備えている、かみそりを封入するための少なくとも１つの容器を含む。パッケージは、かみそりを保護するように格納することが可能であり、加工施設から小売店へ、そして消費者の家庭までの経路の間中、機械的保護及び環境的保護の両方を提供する。
【００２１】
上述のように、従来技術のパッケージは、この独自の組み合わせを実現しない。
【００２２】
本発明における機械的保護は、旋回機構及び／又はリーフスプリングなどのかみそりカートリッジの機械的態様を保護することを含む。例えば、Ｇｉｌｌｅｔｔｅ（登録商標）Ｖｅｎｕｓ（登録商標）Ｂｒｅｅｚｅ（商標）などの使い捨てでないかみそりの、使い捨てかみそりには一般的に見られない１つの重要な機械的態様は、カートリッジのこの回転軸及び／又はリーフスプリング機構である。商品がパッケージの中に定置される時点から、その後の製造業者から小売店へ、そして消費者の家庭までの出荷経路の間、この回転軸の本来の位置を元の状態に保つことが極めて望ましい。カートリッジの回転軸の本来の位置は、圧力又は偏りを有さない位置である。パッケージは、有意な外部の力、圧力、落下等に持ちこたえ、なお元の状態を保つだけでなく、内部のかみそりのハンドル及びカートリッジが動くのを阻止することができなければならない。かみそりの位置を元の状態に維持することにより、輸送及び格納の間中かみそりは良好に保護される。回転軸が異なる位置に配置されるように何らかの形で押される、オフセットされる、又は力が加えられると、それが原因でカートリッジのリーフスプリングが損なわれる又は破損される可能性があり、したがってかみそりは役に立たなくなり、その結果、使用時に消費者を落胆させる可能性がある。一般的に薄いＰＥＴを包装材料として使用するので、内部でのかみそり、特に、カートリッジ旋回機構が移動するリスクが高くなる。
【００２３】
更に、大きな袋又はパッケージの中に複数の使い捨てでないかみそりを有することは望ましいことであるが、かみそりを適切に離間しない限り、旋回位置に対してリスクを与える可能性がある。
【００２４】
更に、使い捨てでないかみそりの１つの重要な環境的態様は、具体的には、任意の石鹸又は潤滑剤（例えば、Ｇｉｌｌｅｔｔｅ  Ｖｅｎｕｓ  Ｂｒｅｅｚｅのようなカートリッジの上部及び底部に取り付けられる「ソープウィング（soap wing）」）を元の状態を保つことである。この場合もやはり、パーケージは、ソープウィングが損なわれないように、周囲の物質及びあらゆる天候関連物質に持ちこたえることができなければならない。例えば、蒸気、水分、湿度、及びその他の環境的流入物は、ソープウィングの特徴又は化学的性質に重大な影響を及ぼし得る。もしもソープウィングを備えるかみそりを出荷するのに使用されるパッケージが、通常は使い捨てかみそり用に使用されるタイプである場合、蒸気若しくは湿度又はその他の周囲の物質は従来技術の厚紙を浸透することができ、ソープウィングの有効性を損なうであろう。したがって、本発明の別の重要な態様は、カートリッジ区域又はハンドルの任意の抗菌材料区域内の任意のシェービングエイド、潤滑剤、又は石鹸（例えば、Ｇｉｌｌｅｔｔｅ（登録商標）Ｖｅｎｕｓ（登録商標）Ｂｒｅｅｚｅ（商標）ソープウィング）を適切に保護すること取り扱う。
【００２５】
従来技術の複数かみそりのパッケージでは、一般的には、いったん開封されると、パッケージの中の全てのかみそりは同時にアクセスできる、又はパッケージから取り出すことができる。開封されたパッケージの中にかみそりを戻すことは可能であるが、例えば、もしもかみそりが旋回機構及びソープウィングを含んでいる場合には、残りの新しいかみそりに対する機械的保護及び環境的保護はできない。更に、特に、ユーザーが使用したかみそりを開封されたパッケージ内に格納する場合には、ユーザーは、どのかみそりが新しくて、どのかみそりが既に使用したものかを簡単に認識しないであろう。したがって、本発明は、初期開封時に全ての新しいかみそりがパッケージから出ないように、複数のかみそりを個別に包装する。
【００２６】
ここで図１Ａを参照すると、本発明の実施形態に従って、形成又は成形されたプラスチック製の第１及び第２の容器１２ａ及び１２ｂと、容器１２ａ及び１２ｂ内部の格納領域１８ａ及び１８ｂ内にそれぞれ格納されている露出したかみそり１６ａ及び封入されたかみそり１６ｂ（露出したかみそり１６ｂは図２に示される）を覆うカバーシート１４ａ及び１４ｂと、を含む二重かみそりパッケージ１０が示されている。容器１２ａ及び１２ｂは、実質的に互いに同一であってもよく、又は実質的に互いの鏡像であってもよい。容器１２ａ、１２ｂは、以下に記載されるように、かみそりを機械的に及び環境的に保護するのに役立つ。
【００２７】
第１に、１つの容器につき１つのかみそりを有した状態で、かみそりは離間されて旋回位置及びその他の機械的態様に対するリスクを減少させる。
【００２８】
第２に、カバーシート１４ａ、１４ｂは、封入されたかみそりを環境から保護するのに役立つ。カバーシートはそれぞれ、対応の容器の一方の末端部又は外側隅部上に、独立したタブ、ノッチ、又はカバーシート１１ａ、１１ｂの延長片を含んでもよい。カバーシート１４ａ、１４ｂを（存在する場合にはタブ１１ａ、１１ｂで）ピールバックすることによって、消費者は容器１２ａ、１２ｂを個別に開けてかみそり１６ａ、１６ｂにアクセスすることができる。カートリッジ部分１９ａ、１９ｂ内のかみそり刃の刃先との意図しない接触から消費者を保護するために、格納領域１８ａ、１８ｂ内の、カバーシートがピールバックされたときに形成されるアクセス領域にかみそりのハンドル部分１５ａ、１５ｂ（１５ｂは図２に示される）が位置するように、かみそりは格納される。しかしながら、カバーシートが実質的に剥離される（又は全体的に剥離される）場合は、アクセス領域は格納領域の全区域であり得る。
【００２９】
容器１２ａ、１２ｂの形状、又は格納領域１８ａ、１８ｂの形状は、隣接するハンドルを有するかみそりの一般形状の輪郭であってもよい。これらの形状は、カバーシートがピールバックされた又は剥離された時点で消費者がハンドルに容易にアクセスできるように、格納領域内のかみそりの実際の周辺部より大きい。かみそり１６ａはハンドル部分１５ａとカートリッジ部分１９ａとを有し、かみそり１６ｂはハンドル部分１５ｂとカートリッジ部分１９ｂとを有する。
【００３０】
カバーシート１４ａ、１４ｂは、容器１２ａ、１２ｂの上部周辺部の周りに個別に着脱自在に取り付けられてもよく、又は、ピールバックが穿孔又は連続スリットを含むことができる分離可能ライン領域１３ａに沿って生じるように、容器は、パッケージ１０全域にわたる１枚のカバーシートで覆われてもよい。後者の場合でも、容器は個々に密封されることができる。
【００３１】
それぞれのカバーシートが容器の内容物が外に出るのを防止し、一方で周囲の物質が容器に入るのを防止するように、カバーシートは、一般に可撓性である任意の不透水性の材料、多層積層体、又はあらゆる種類のプラスチックで作製されることができる。したがって、カバーシート用の厚紙タイプの材料はこの目的の役立つことができない。あらゆる突き刺し又は突きがシート又はシールに穿孔する又は穴を形成するのを防止するために、シートは頑丈で丈夫な材料で作製されなければならない。シートは、熱及び圧力を介して、又は任意のその他の好適な方法を介して、パッケージ１０の上に接着により封止されてもよい。
【００３２】
カバーシートは、透明、不透明、色付き、又はこれらの任意の組み合わせのものであることができる。透明又は部分的に透明なカバーシートを用いると、ユーザーが購買時点でかみそり製品を見ることができ、なおかつ、ハンドル及びカートリッジに機械的及び環境的保護を同時に提供することができる。
【００３３】
加えて、カバーシート１４ａ、１４ｂは、カバーシートの一部分だけがピールバックされることができ、なおかつ、かみそりへのアクセスを可能とするように容器の上に封止されることができる。
【００３４】
封入されるかみそりは、使用後にハンドル及びカートリッジが廃棄されるような使い捨てかみそりであってもよい。あるいは、かみそりは、ハンドルが再使用され、取り外し可能なカートリッジが使用後に廃棄され、かつ、新しいカートリッジと交換されるタイプであってもよい。かみそりが使い捨てであるかそうでないかにかかわらず、パッケージ１０の中のかみそりはカートリッジとハンドルの両方を有するので、消費者が同じかみそりをその後の数回の剃毛に使用する場合も起こり得る。したがって、本発明の代替実施形態では、カバーシート１４ａ、１４ｂは、次回の剃毛のためにかみそりをパッケージ内に格納する手段として、容器１２ａ、１２ｂのそれぞれを再封止する又はそれらの上に戻されて再度閉鎖するように形成されてもよい。あるいは、タブ１１ａ、１１ｂの下面又は側面は、容器の隅部又はあらゆる周辺部にカバーシート１４ａ、１４ｂを元の位置に戻し留める手段を備えてもよい。例えば、タブの下面は、ボタン、スナップ、又はＶｅｌｃｒｏ（登録商標）ファスナーを有してもよく、あるいは、タブ自体が実質的にボタン、スナップ、又はＶｅｌｃｒｏファスナーであってもよい。
【００３５】
本発明の容器１２ａ、１２ｂは、ポリプロピレン、ポリエチレンテレフタレートグリコール（ＰＥＴＧ）などのプラスチック、若しくは任意のその他の好適なプラスチック、エラストマー、又はそれらの誘導体を使用して形成又は成形されることができる。ポリプロピレン材料は通常厚い材料であり、多くの場合、熱成形されたＰＥＴ材料より厚いので、パッケージ内部のかみそりに上記のような機械的及び環境的保護の両方を提供する。厚紙又は紙で作られた容器は、かみそりの機械的態様の保護又は環境的流入物の防止のいずれの点においても、これほど有効ではない可能性がある。したがって、容器が厚紙で作製される場合には、プラスチックと組み合わせるなど、容器をより丈夫に作製する追加の材料が更に必要であり得る。
【００３６】
本発明は、商品がパッケージの中に定置された後、及びその後の製造業者から消費者の家庭までの出荷経路の間、回転軸及びその他の力学的特性を本来の位置又は中立状態の位置に変わらずに維持する。パッケージは、有意な外部の力、圧力、落下等に持ちこたえることができ、元の状態を保つだけでなく、内部のかみそりハンドル及びカートリッジが動くのを阻止できる。かみそりの位置を変わらずに維持することにより、回転軸が異なる位置に配置されるように何らかの形で押される、オフセットされる、又は力が加えられることがなく、損傷を引き起こさないように、輸送及び格納の間かみそりは良好に保護される。したがって、かみそりは機能を果たし、消費者が使用時に落胆することはない。
【００３７】
本発明の容器１２ａ、１２ｂは、透明、不透明、色付き又はこれらの任意の組み合わせのものであることができる。透明又は部分的に透明な容器を用いると、ユーザーが購買時点でかみそり製品を見ることができ、なおかつ、容器はハンドル及びカートリッジに対して機械的及び環境的保護を同時に提供する。例えば、容器１２ａ、１２ｂは、図４に示されるように、容器の残りは不透明なままで、かみそりカートリッジが可視である透明な上部窓部３５を含んでもよい。
【００３８】
本発明の別の実施形態では、図１Ａ及び図１Ｂに示されるように、容器１２ａ、１２ｂは、容器１２ａと１２ｂとの間にかみそりパッケージ１０の長さに沿って中央に位置している容器の分離可能ライン領域１３ｂに沿って、互いに着脱自在に取り付けられる、又は着脱自在に固定される。分離可能ライン領域１３ｂは、容器１２ａを容器１２ｂから分離させることができる。例えば、図１Ｂに示されるように、消費者は、かみそり１６ｂを後の使用のために容器内部に格納したまま、初期使用のために、内部にかみそり１６ａを有する二重パッケージ１０から容器１２ａを剥ぎ取る又は分離することができる。一方の容器の分離可能ライン領域１３ｂにおける他方の容器の分離又は離脱は、相互連結、連結アーム若しくはリブ、スナップオフ連結、ヒンジ、ピン、又はレーザー切断若しくはその他の方法を介して形成された開口部、穿孔若しくは連続スリットなどの機械的手段を介して達成され得る。容器１２ａ、１２ｂは、場合によっては極めて可撓性の材料でもあり得る厚いポリプロピレン材料で作製されることができるので、カバーシート１４ａ、１４ｂのカバーシート分離可能ライン領域１３ａに関して上述したような穿孔を介した容器の分離はふさわしくない場合がある。
【００３９】
したがって、シート分離可能ライン領域１３ａは、容器分離可能ライン領域１３ｂと同じ方法を介して同時に形成されてもよく、同時に形成されなくてもよい。しかしながら、本発明では、図１Ａ、１Ｂに示されるように、カバーシート分離可能ライン領域１３ａは通常、望ましくは容器の分離可能ライン領域１３ｂの上部に位置合わせされてよい。
【００４０】
図１Ｃに示される本発明の別の実施形態では、パッケージは、一方を他方から離脱する、剥ぎ取る可能性がなく、上記のような容器分離可能ライン領域１３ｂがないがカバーシート分離可能ライン領域１３ａが存在し得るという状態で容器１２ａ及び１２ｂは取り付けられるが、互いに取り外し可能でない又は離脱可能でないように、単一構成要素として製造されるか又は一体成形される。
【００４１】
図１Ｄに示される本発明の更に別の実施形態では、カートリッジ（図示せず）と隣接するハンドル１５とを有する１つのかみそりを封入している１つだけの容器１２を有するパッケージ１０が、カバーシート１４と共に示されている。かみそりパッケージ１０が、個々の容器を剥ぎ取るための分離可能ラインをその間に有するか又は有さない３つ以上の容器を有する場合もまた考えられる。これは、図６〜図７に関連して後述する。
【００４２】
ここで図２を参照すると、カバーシート１４ａ、１４ｂを有さないパッケージ１０の平面図が示されていて、そこでは本発明の実施形態よる容器１２ａは、格納領域１８ａ内部に位置決めされたかみそり１６ａを有する。容器１２ｂもまた、領域１８ａに示されるのと同様に領域１８ｂ内に位置決めされたかみそりを有するが、格納領域１８ｂの凹部２３ｂ及び全体形状を示すために空で示されている。
【００４３】
本発明のカバーシート１４ａ（図２では除去されている）は、格納領域１８ａを包含する容器１２ａの上部に形成された容器の凹部又は開口部２３ａの周辺部２２ａの上を覆い、かつ、周辺部２２ａの上に個々に封止されてもよい。格納領域１８ａは上部２４ａと下部２５ａとを有する。上部２４ａはかみそり１６ａのカートリッジ部分１９ａを受容するためのカートリッジ受け凹部２６ａを形成し、下部２５ａはかみそり１６ａのハンドル部分１５ａを受容するためのハンドル受け凹部２７を形成する。同様に、カバーシート１４ｂ（図２には示されず）は、通常、格納領域１８ｂを包含する容器１２ｂの凹部の上を覆い、かつ、凹部の上に封止される。格納領域１８ｂは上部２４ｂと下部２５ｂとを有する。上部２４ｂは、かみそり１６ｂ（図示せず）のカートリッジ部分１９ｂを受容するためのカートリッジ受け凹部２６ａを有し、下部２５ｂは、かみそり１６ｂ（図示せず）のハンドル部分１５ｂを受容するためのハンドル受け凹部２７ｂを有する。
【００４４】
カートリッジ受け凹部２６ａ、２６ｂの縁部に沿って形成されるスロットガイド２８は、カートリッジ部分１９ａ、１９ｂと容器との間に離間間隙を与える一方で、カートリッジ部分を凹部内にセンタリングするのに役立つ。更に、この離間隙間は、カートリッジ部分内に組み込まれた任意のシェービングエイドの潜在的な乾燥を可能にし、かみそりカートリッジ部分内の剃毛刃の刃先が不必要に摩耗することを防止するうえでも有用である。スロットガイド２８に加え、容器は、輸送中にかみそりのハンドルに安定性を提供し、輸送中にかみそりが容器内で動くのを最小限にし、更には、ユーザーが後の使用のために容器の中の定位置にかみそりをスナップ嵌めで戻すことができるようにするために、ハンドルガイド２９及び３０を更に含むことができる。
【００４５】
ここで図３を参照すると、容器内にあるかみそりの「透視」図を含む、本発明によるかみそりパッケージ１０の側面図が示されている。側壁４０の幅は、図のように容器の全長にわたって等しくてもよく、又は、カートリッジ部分により大きな余地を与えるために、下部よりも上部の方がわずかに高くても、又は幅広であってもよい。
【００４６】
ここで図４を参照すると、本発明によるかみそりパッケージ１０の底面図が示されている。上述の通り、かみそりカートリッジ１９ａ、１９ｂを見せるための透明窓３５が容器１２ａ、１２ｂに形成されているが、容器の残りの部分は不透明のままである。これは、特にカバーシートが透明でない場合には、購買時点で消費者にとって有用である。
【００４７】
図５に示される本発明の代替実施形態では、パッケージ１０は、カートリッジと隣接するハンドルとを有するかみそり１６ａ（点線で示される）を封入するための容器に成形されるが、カバーシートがより小さなアクセス領域を封止するように形成される。図５において、容器１２ａ、１２ｂは、ここでも同様にハンドルがアクセス領域に位置した状態で、事実上垂直に設置される。
【００４８】
複数の容器を有する場合、容器は、所望な又は必要な任意のやり方で一体に取り付けられてもよい。例えば、「直列の」取り付け（例えば、一列に並んだ３つの容器１２ａ、１２ｂ、１２ｃ）が図６に示されている一方、並列の「背中合わせの」取り付け（例えば、図示されていない剥離面が互いに隣接している）が図７に示されている。図７において、第１及び第２の容器１２ａ、１２ｂは互いに着脱自在に取り付けられて二重容器のパッケージ７３を形成し、第３及び第４の容器１２ｃ、１２ｄは互いに着脱自在に取り付けられて二重容器のパッケージ７７を形成し、二重容器のパッケージ７３、７７はつり手７５を介して上部で取り付けられる。つり手７５はパッケージの幅を横切ってもよく、又はより中央に位置してもよいが、本発明では、２つの二重容器のパッケージを一体に取り付けるだけでなく、パッケージを吊り下げるために用いられる任意のふさわしい方法もまた考えられる。
【００４９】
本明細書に開示される寸法及び値は、列挙された正確な数値に厳しく制限されるものとして理解されるべきでない。それよりむしろ、特に指定されない限り、こうした各寸法は、列挙された値とその値周辺の機能的に同等の範囲の両方を意味することを意図する。例えば、「４０ｍｍ」として開示された寸法は、「約４０ｍｍ」を意味することを意図する。
【００５０】
「発明を実施するための形態」で引用したすべての文献は、関連部分において本明細書に参考として組み込まれるが、いずれの文献の引用も、それが本発明に関して先行技術であることを容認するものとして解釈されるべきではない。この文書における用語の任意の意味又は定義が、参照として組み込まれる文献における用語の任意の意味又は定義と矛盾する範囲については、本文書における用語に与えられた意味又は定義が適用される。
【００５１】
本発明の特定の実施形態について説明し記載したが、本発明の趣旨及び範囲から逸脱することなく他の様々な変更及び修正が可能であることが当業者には自明である。したがって、本発明の範囲内にあるそのようなすべての変更及び修正を、添付の「特許請求の範囲」で扱うものとする。
【図１Ａ】
2011525462.tif 000003
【図１Ｂ】
2011525462.tif 000004
【図１Ｃ】
2011525462.tif 000005
【図１Ｄ】
2011525462.tif 000006
【図２】
2011525462.tif 000007
【図３】
2011525462.tif 000008
【図４】
2011525462.tif 000009
【図５】
2011525462.tif 000010
【図６】
2011525462.tif 000011
【図７】
2011525462.tif 000012
【国際調査報告】
2011525462.tif 000013
2011525462.tif 000014
2011525462.tif 000015